(57)【要約】【課題】水密性や気密性が高く、またメンテナンスや防犯性に優れた外部開口用下枠フラットサッシを提供することである。【解決手段】下枠内に外部と連通する排水口を有する中空部２１を形成し、障子はその下框の室内側垂下片３２、４７及び室外側垂下片３３，４８を形成し、前記中空部上方に、上面が略フラットな前記レール部１１，１２と、このレール部の室内側と室外側とにそれぞれ前記レール部と略同じ高さのリブ状の室内側立ち上がり片及び室外側立ち上がり片とを並設し、前記室内側立ち上がり片と前記レール部側面とで前記室内側垂下片の室内側ガイド溝１６，１８を、並びに前記室外側立ち上がり片と前記レール部側面とで前記室外側垂下片の室外側ガイド溝１７，１９を、それぞれ形成し、前記室内側垂下片３２，４７と前記室内側立ち上がり片との間に横タイト材７６を摺接するように介在させた。【選択図】図１
2004270441.tif 000002
【特許請求の範囲】
【請求項１】
下枠のレール部に沿って、障子下框に設けられた戸車を介して左右にスライドする障子を有し、かつ前記レール部の上面を含んで前記下枠の上面全体を略フラットに形成した、外部開口用下枠フラットサッシであって、
前記下枠内に外部と連通する排水口を有する中空部を形成し、
前記障子はその下框の室内側垂下片及び室外側垂下片を形成し、
前記中空部上方に、上面が略フラットな前記レール部と、このレール部の室内側と室外側とにそれぞれ前記レール部と略同じ高さの室内側立ち上がり片及び室外側立ち上がり片とを並設し、
前記室内側立ち上がり片と前記レール部側面とで前記室内側垂下片の室内側ガイド溝を、並びに前記室外側立ち上がり片と前記レール部側面とで前記室外側垂下片の室外側ガイド溝を、それぞれ形成し、
前記室内側垂下片と前記室内側立ち上がり片との間に横タイト材を摺接するように介在させ、
前記室外側ガイド溝に水抜き孔を設けて、前記下枠中空部を介して外部と連通させる
ことを特徴とする外部開口用下枠フラットサッシ。
【請求項２】
下枠のレール部に沿って、障子下框に設けられた戸車を介して左右にスライドする障子を有し、かつ前記レール部の上面を含んで前記下枠の上面全体を略フラットに形成した、内外障子からなる引き違いサッシにおける外部開口用下枠フラットサッシであって、
前記下枠内に外部と連通する排水口を有する中空部を形成し、
前記内障子及び外障子は、それぞれの下框に室内側垂下片及び室外側垂下片を形成し、
サッシ下枠を室内側から室外側を見て、前記中空部上方に、第１の立ち上がり片、内障子用のレール部、第２の立ち上がり片、外障子用のレール部及び第３の立ち上がり片を形成し、かつ前記第１〜第３の立ち上がり片は前記レール部と略同じ高さであり、
前記内障子用のレール部室内側側面と前記第１の立ち上がり片とで内障子の前記室内側垂下片の室内側ガイド溝を、及び前記内障子用のレール部室外側側面と前記第２の立ち上がり片とで内障子の前記室外側垂下片の室外側ガイド溝を形成し、
また、前記外障子用のレール部室内側側面と前記第２の立ち上がり片とで外障子の前記室内側垂下片の室内側ガイド溝を、及び前記外障子用のレール部室外側側面と前記第３の立ち上がり片とで外障子の前記室外側垂下片の室外側ガイド溝を形成し、
前記内障子の室内側垂下片と前記第１の立ち上がり片との間、及び前記外障子の室内側垂下片と前記第２の立ち上がり片との間とに横タイト材を摺接するように介在させ、
前期内障子及び前記外障子用の室外側ガイド溝と、前記外障子用の室内側ガイド溝とに水抜き孔を設けて、前記下枠中空部を介して外部と連通させる
ことを特徴とする外部開口用下枠フラットサッシ。
【請求項３】
内外障子からなる引き違いサッシにおける内障子の召し合わせ框の室外面に、当該室外面と外障子の召し合わせ框の室内面との間を気密にする縦タイト材を形成し、
内障子の召し合わせ框の室外面下部及び当該框底部にブロック体を設け、当該框室外面下部と外障子の召し合わせ框の室内面下部との間を気密にするとともに、当該内障子の召し合わせ框底部と内障子用のレール部上面との間を気密にし、
また、前記引き違いサッシを閉じた状態で前記内障子の召し合わせ框の底部に位置する、レール部の室内側及び室外側のガイド溝にタイト材を埋設し、
さらに、前記引き違いサッシを閉じた状態で前記縦タイト材、前記ブロック体及び前記埋設されたタイト材により形成されたタイトラインよりも外部かつ近接した位置の下枠に、水抜き孔を設けた請求項１又は２記載の外部開口用下枠フラットサッシ。
【請求項４】
片引きサッシ又は引き分けサッシにおける嵌め殺し部の縦骨の室外面に、当該室外面と外障子の召し合わせ框の室内面との間を気密にする縦タイト材を形成し、
前記嵌め殺し部の縦骨の室外面下部に、当該室外面下部と外障子の召し合わせ框の室内面下部との間を気密にするブロック体を設け、
また、前記片引きサッシ又は引き分けサッシにおける外障子を閉じた状態で、前記縦タイト材及び前記ブロック体により形成されたタイトラインよりも外部かつ近接した位置の下枠に、水抜き孔を設けた請求項１記載の外部開口用下枠フラットサッシ。
【請求項５】
前記レール部は、一対の立ち上がり片で室内側及び室外側側面を形成し、かつ着脱自在なレール部の上面構成部材を前記レール部の室内側及び室外側側面と嵌合することで形成される、請求項１乃至４のいずれかの１項に記載の外部開口用下枠フラットサッシ。
【請求項６】
引き違いサッシを閉じた状態で内障子の召し合わせ框の底部に位置する、レール部の前記上面構成部材並びに前記レール部の室内側及び室外側側面で囲まれる範囲に、タイト材が埋設されている請求項５記載の外部開口用下枠フラットサッシ。
【請求項７】
前記室外側ガイド溝の上端部の隙間は、この室外側ガイド溝の底部の屋内外方向の幅よりも狭く形成され、
前記障子の前記室外側垂下片の下端は、前記室外側ガイド溝の上端部よりも下方に位置するようにのみ込まれている構成とされた、請求項１記載の外部開口用下枠フラットサッシ。
【請求項８】
前記室外側ガイド溝の上端部の隙間のうち、前記室外側立ち上がり片の上端部と前記室外側垂下片の室外側面との間は０．３〜６ｍｍであり、
前記室外側垂下片ののみ込み長さとして、前記室外側立ち上がり片の上端と前記室外側垂下片の下端との距離は２〜３０ｍｍである構成とされた、請求項７記載の外部開口用下枠フラットサッシ。
【請求項９】
前記内障子用のレール部室外側側面と前記第２の立ち上がり片とで形成される内障子の前記室外側垂下片の室外側ガイド溝の上端部の隙間、及び前記外障子用のレール部室外側側面と前記第３の立ち上がり片とで形成される外障子の前記室外側垂下片の室外側ガイド溝の上端部の隙間は、それぞれ室外側ガイド溝の底部の屋内外方向の幅よりも狭く形成され、
内障子の前記室外側垂下片及び外障子の前記室外側垂下片のそれぞれの下端は、それぞれの室外側ガイド溝の上端部よりも下方に位置するようにのみ込まれている構成とされた、請求項２乃至６のいずれか1項記載の外部開口用下枠フラットサッシ。
【請求項１０】
内障子の前記室外側垂下片の室外側ガイド溝の上端部の隙間のうち、前記第２の立ち上がり片の上端部と前記室外側垂下片の室外側面との間は０．３〜６ｍｍであり、
内障子の前記室外側垂下片ののみ込み長さとして、前記第２の立ち上がり片の上端と前記室外側垂下片の下端と距離は２〜３０ｍｍである構成とされた、請求項９記載の外部開口用下枠フラットサッシ。
【請求項１１】
内障子の戸当り框が当接する縦枠には、縦方向に条状に突出するように突出片が配設され、
該突出片は、その下端が前記第２の立ち上がり片の上端に当接すると共に、前記内障子の戸当り框の室外面よりも室外側に位置して、内障子を閉じた状態で前記内障子の戸当り框の室外面の縦枠側端部を覆うように構成された、請求項９又は１０記載の外部開口用下枠フラットサッシ。
【請求項１２】
前記突出片の前記縦枠の内周面からの突出長さは３〜３０ｍｍであり、該突出片と前記内障子の戸当り框の室外面との隙間は１〜１０ｍｍである構成とされた、請求項１１記載の外部開口用下枠フラットサッシ。
【請求項１３】
内障子の戸当り框が当接する縦枠には、該縦枠を室外側から室内側を見て、突出片、縦枠レール片及び縦タイト材を嵌合可能なリップ溝片がそれぞれ縦方向に条状に突出するように配設され、
突出片は、その下端が前記第２の立ち上がり片の上端に当接すると共に、前記内障子の戸当り框の室外面よりも室外側に位置して、内障子を閉じた状態で前記内障子の戸当り框の室外面の縦枠側端部を覆い、
縦枠レール片は、内障子を閉じた状態で前記内障子の戸当り框の縦枠側側面方向にのみ込まれる構成をとり、
リップ溝片は、前記内障子の戸当り框の室内面よりも室内側に位置して、内障子を閉じた状態で前記内障子の戸当り框の室内面の縦枠側端部を覆う構成とされた、請求項９又は１０記載の外部開口用下枠フラットサッシ。
【請求項１４】
前記突出片の前記縦枠の内周面からの突出長さは３〜３０ｍｍであり、前記縦枠レール片の前記縦枠の内周面からの突出長さは３〜３０ｍｍであり、前記リップ溝片の前記縦枠の内周面からの突出長さは３〜３０ｍｍである構成とされた、請求項１３記載の外部開口用下枠フラットサッシ。
【発明の詳細な説明】
【技術分野】
【０００１】
本発明は、建築物の屋外開口に設置する、下枠の上面全体を略フラットに形成した屋外開口用下枠フラットサッシに関する。
【背景技術】
【０００２】
従来、建築物の屋外開口部に設置されるサッシの下枠には、当該サッシを構成する障子を左右にスライドさせるために、障子の下框に設けられた戸車を回動させるリブ状のレール部が形成されている。
【０００３】
通常、このリブ状のレール部並びに内障子及び外障子の当該レール部によって区画されたレール溝は、サッシの雨仕舞の観点より、室外側よりも室内側が高くなるように段差を設けて形成されている。すなわち、障子や窓ガラスに吹き付けられた雨水は、障子や窓ガラスに沿って落下し、下枠のレール溝に溜まるが、このレール溝が室外側よりも室内側が高くなるように段差を設けて形成されているため、レール溝に溜まった雨水の自重により室内側への雨水の侵入を防ぎ、またレール溝に溜まった雨水は屋外へ排出されるようになっている。
【０００４】
一方、近年では、バリアフリー若しくはユニバーサルデザインの観点から、リブ状のレール部を室内側と室外側で段差を設けることなく略フラットに配設した下枠フラットサッシや、さらにレール部をリブ状でなくレ−ル部の上面を略フラットにした下枠フラットサッシも開発されている（例えば、特許文献１参照）。
【０００５】
とりわけ、このレール部の上面を略フラットにした下枠フラットサッシでは、一定以上の水密性、気密性を確保することが課題となっており、特許文献１では、室内への雨水の侵入を防ぐために、障子と下枠との間を横タイト材を介して気密にする等気圧構造を採用している。具体的には、障子下框の室内側に垂下片（スライド片）が形成され、この垂下片と下枠のレール溝の室内側側壁に設けられた横タイト材とで水密性と気密性を確保している（例えば、特許文献１参照）。
【特許文献１】特許第３３３０５８号（６頁、図１）
【発明の開示】
【発明が解決しようとする課題】
【０００６】
しかし、上記の障子下框の室内側の垂下片と横タイト材のみによる水密性と気密性の確保には、以下のような問題点がある。
【０００７】
第１に、垂下片（スライド片）が室内側にのみ形成されているので、図１７ａの点線で囲った範囲に示すように、内障子１及び外障子２や窓ガラス３に吹き付けられた雨水は、障子下框１ａ、２ａの下部の室外側から侵入し、障子下框垂下片１ｃ、２ｃと横タイト材７６によるタイトラインよりも上に位置する下枠レール部の上面４，５に溜まりやすいので、当該横タイト材７６の負担が大きく、水密性に不利である。
【０００８】
第２に、下枠レール部上面４、５まで雨水が侵入し、かつ溜まるので、引き違いサッシの内障子１等の召し合わせ框の室外側下部や当該框の底部における水密性や気密性の確保が難しくなっている。
【０００９】
第３に、図１８ａの点線で囲った範囲に示すように、下枠レール部上面４，５には埃や塵も溜まりやすく、また、これらが溜まった下枠レール部上面４，５を障子の戸車６が移動することにより、人目につきやすいレール部上面４，５に細かな傷がつき、美感等の観点から、頻繁に補修や交換等のメンテナンスを行う必要が生じる。
【００１０】
第４に、内障子及び外障子の室外側に垂下片が形成されていないので、図１９ａに示すように、室外側から内障子及び外障子下框１ａ，２ａの底部と下枠レール部の上面４，５との隙間に、バール７等が差し込まれて、障子が持ち上げられることによって内障子及び外障子１，２が外され、屋外からの侵入を容易にさせるという防犯上の危険性を伴っている。
【００１１】
また、内障子縦框（戸当り框）とこれが当接するサッシ縦枠との間に隙間が生じるため、この部分の止水性や防犯性の面でも問題となっていた。
【００１２】
そこで、本発明の主たる課題は、水密性や気密性が高く、またメンテナンスや防犯性に優れた外部開口用下枠フラットサッシを提供することにある。
【課題を解決するための手段】
【００１３】
上記課題を解決した本発明は、次のとおりである。
＜請求項１記載の発明＞
請求項１記載の発明は、下枠のレール部に沿って、障子下框に設けられた戸車を介して左右にスライドする障子を有し、かつ前記レール部の上面を含んで前記下枠の上面全体を略フラットに形成した、外部開口用下枠フラットサッシであって、
前記下枠内に外部と連通する排水口を有する中空部を形成し、
前記障子はその下框の室内側垂下片及び室外側垂下片を形成し、
前記中空部上方に、上面が略フラットな前記レール部と、このレール部の室内側と室外側とにそれぞれ前記レール部と略同じ高さの室内側立ち上がり片及び室外側立ち上がり片とを並設し、
前記室内側立ち上がり片と前記レール部側面とで前記室内側垂下片の室内側ガイド溝を、並びに前記室外側立ち上がり片と前記レール部側面とで前記室外側垂下片の室外側ガイド溝を、それぞれ形成し、
前記室内側垂下片と前記室内側立ち上がり片との間に横タイト材を摺接するように介在させ、
前記室外側ガイド溝に水抜き孔を設けて、前記下枠中空部を介して外部と連通させる
ことを特徴とする外部開口用下枠フラットサッシである。
【００１４】
（作用効果）
本発明では、障子の下框の室内側だけでなく、室外側にも垂下片が形成されているので、この室外側垂下片によって、室外側の障子面や窓ガラスに沿って落下した雨水の室内への侵入が拒まれる。すなわち、当該室外側垂下片は実質的な水切りとして機能する。したがって、この室外側垂下片で水切りを行い、かつ室内側垂下片と横タイト材とで水密性や気密性を確実に確保することができる。具体的には、室外側垂下片で水切りが行われることにより、雨水の大半は室外側ガイド溝に流れ落ち下枠中空部を介して外部に排出されるので、横タイト材によるタイトラインよりも上に位置するレール部の上面に雨水が浸入しにくく、仮にレール部の上面に雨水が浸入した場合でも、室内側垂下片と横タイト材により室内へ漏水をすることなく、雨水は室内側ガイド溝に落ち、下枠中空部を介して外部に排出される。つまり、水切りラインとタイトラインを別々に設ける二重構造により、タイトラインの負担を軽減させ、水密性や気密性を高めている。
【００１５】
また、室外側垂下片を設けレール部の上面への雨水の侵入を少なくしたことにより、引き違いサッシの内障子や、片引きサッシ又は引き分けサッシの嵌め殺し障子の、召し合わせ框の室外側下部や当該框の底部における水密性や気密性の確保がしやすくなっている。すなわち、レール部の上面に位置する、召し合わせ框の底部の水密性や気密性は高くなっており、また、室外側垂下片を設けたことにより、召し合わせ框の室外側下部の雨仕舞を、その構造を複雑にせずに確実に行うことができる。
【００１６】
さらに、室外側垂下片を設けたことにより、レール部の上面に埃や塵が溜まりにくく、メンテナンス性にも優れており、また、外部からバール等を差し込まれるような隙間がないため，防犯性にも優れている。
【００１７】
＜請求項２記載の発明＞
請求項２記載の発明は、下枠のレール部に沿って、障子下框に設けられた戸車を介して左右にスライドする障子を有し、かつ前記レール部の上面を含んで前記下枠の上面全体を略フラットに形成した、内外障子からなる引き違いサッシにおける外部開口用下枠フラットサッシであって、
前記下枠内に外部と連通する排水口を有する中空部を形成し、
前記内障子及び外障子は、それぞれの下框に室内側垂下片及び室外側垂下片を形成し、
サッシ下枠を室内側から室外側を見て、前記中空部上方に、第１の立ち上がり片、内障子用のレール部、第２の立ち上がり片、外障子用のレール部及び第３の立ち上がり片を形成し、かつ前記第１〜第３の立ち上がり片は前記レール部と略同じ高さであり、
前記内障子用のレール部室内側側面と前記第１の立ち上がり片とで内障子の前記室内側垂下片の室内側ガイド溝を、及び前記内障子用のレール部室外側側面と前記第２の立ち上がり片とで内障子の前記室外側垂下片の室外側ガイド溝を形成し、
また、前記外障子用のレール部室内側側面と前記第２の立ち上がり片とで外障子の前記室内側垂下片の室内側ガイド溝を、及び前記外障子用のレール部室外側側面と前記第３の立ち上がり片とで外障子の前記室外側垂下片の室外側ガイド溝を形成し、
前記内障子の室内側垂下片と前記第１の立ち上がり片との間、及び前記外障子の室内側垂下片と前記第２の立ち上がり片との間とに横タイト材を摺接するように介在させ、
前期内障子及び前記外障子用の室外側ガイド溝と、前記外障子用の室内側ガイド溝とに水抜き孔を設けて、前記下枠中空部を介して外部と連通させる
ことを特徴とする外部開口用下枠フラットサッシである。
【００１８】
（作用効果）
請求項２記載の発明では、内外障子からなる引き違いサッシにおける内外障子の下框の室内側だけでなく、室外側にも垂下片が形成されているので、この室外側垂下片によって、室外側の障子面や窓ガラスに沿って落下した雨水の室内への侵入が拒まれる。すなわち、当該内障子及び外障子の室外側垂下片は実質的な水切りとして機能する。したがって、これら室外側垂下片で水切りを行い、かつ室内側垂下片と横タイト材とで水密性や気密性を確実に確保することができる。具体的には、内障子及び外障子の室外側垂下片で水切りが行われることにより、雨水の大半はそれぞれの室外側ガイド溝に流れ落ち下枠中空部を介して外部に排出されるので、横タイト材によるタイトラインよりも上に位置するレール部の上面に雨水が浸入しにくく、仮にレール部の上面に雨水が浸入した場合でも、内障子及び外障子の室内側垂下片と横タイト材により室内へ漏水をすることなく、雨水はそれぞれの室内側ガイド溝に落ち、下枠中空部を介して外部に排出される。つまり、水切りラインとタイトラインを別々に設ける二重構造により、タイトラインの負担を軽減させ、水密性や気密性を高めている。
【００１９】
また、内障子及び外障子の室外側垂下片を設けレール部の上面への雨水の侵入を少なくしたことにより、引き違いサッシの内障子の召し合わせ框の室外側下部や当該框の底部における水密性や気密性の確保がしやすくなっている。すなわち、内障子用のレール部の上面に位置する、召し合わせ框の底部の水密性や気密性は高くなっており、また、内障子の下框に室外側垂下片を設けたことにより、召し合わせ框の室外側下部の雨仕舞を、その構造を複雑にせずに確実に行うことができる。
【００２０】
さらに、内障子及び外障子の下框に室外側垂下片を設けたことにより、レール部の上面に埃や塵が溜まりにくく、メンテナンス性にも優れており、また、外部からバール等を差し込まれるような隙間がないため，防犯性にも優れている。
【００２１】
＜請求項３記載の発明＞
請求項３記載の発明は、内外障子からなる引き違いサッシにおける内障子の召し合わせ框の室外面に、当該室外面と外障子の召し合わせ框の室内面との間を気密にする縦タイト材を形成し、
内障子の召し合わせ框の室外面下部及び当該框底部にブロック体を設け、当該框室外面下部と外障子の召し合わせ框の室内面下部との間を気密にするとともに、当該内障子の召し合わせ框底部と内障子用のレール部上面との間を気密にし、
また、前記引き違いサッシを閉じた状態で前記内障子の召し合わせ框の底部に位置する、レール部の室内側及び室外側のガイド溝にタイト材を埋設し、
さらに、前記引き違いサッシを閉じた状態で前記縦タイト材、前記ブロック体及び前記埋設されたタイト材により形成されたタイトラインよりも外部かつ近接した位置の下枠に、水抜き孔を設けた請求項１又は２記載の外部開口用下枠フラットサッシである。
【００２２】
（作用効果）
内外障子からなる引き違いサッシにおける内障子の召し合わせ框室外面と外障子の召し合わせ框の室内面との間を縦タイト材により気密状態にすることによって、内障子の召し合わせ框及び外障子の召し合わせ框に吹き付けられた雨水は、室内への侵入が拒まれ、それぞれの召し合わせ框に沿って落下する。
【００２３】
次に、それぞれの召し合わせ框に沿って落下した雨水や召し合わせ框下部に吹き付けられた雨水に対しては、内障子の召し合わせ框室外面下部と外障子の召し合わせ框の室内面下部との間の隙間部分を気密にするブロック体により、室内への漏水を防止することができる。加えて、このブロック体により、内障子の召し合わせ框底部と内障子用のレール部上面との間が気密状態にされるので、下枠レール部の上面からの雨水の侵入を防止することができる。
【００２４】
また、前記引き違いサッシを閉じた状態で前記内障子の召し合わせ框の底部に位置するレール部の室内側及び室外側のガイド溝にタイト材を埋設することにより、ガイド溝から室内への雨水の流れ込みを防止することができる。
【００２５】
さらに、前記縦タイト材、前記ブロック体及び前記埋設されたタイト材により形成されたタイトラインで気密と水密を確実にするだけではなく、このタイトラインよりも外部かつ近接した位置の下枠に設けた水抜き孔により、下枠中空部を介して雨水の外部への排出を促進することで、室内への漏水防止効果を高めている。
【００２６】
＜請求項４記載の発明＞
請求項４記載の発明は、片引きサッシ又は引き分けサッシにおける嵌め殺し部の縦骨の室外面に、当該室外面と外障子の召し合わせ框の室内面との間を気密にする縦タイト材を形成し、
前記嵌め殺し部の縦骨の室外面下部に、当該室外面下部と外障子の召し合わせ框の室内面下部との間を気密にするブロック体を設け、
また、前記片引きサッシ又は引き分けサッシにおける外障子を閉じた状態で、前記縦タイト材及び前記ブロック体により形成されたタイトラインよりも外部かつ近接した位置の下枠に、水抜き孔を設けた請求項１記載の外部開口用下枠フラットサッシである。
【００２７】
（作用効果）
片引きサッシ又は引き分けサッシにおける嵌め殺し部の縦骨の室外面と外障子の召し合わせ框の室内面との間を縦タイト材により気密状態にすることによって、嵌め殺し部の縦骨及び外障子の召し合わせ框に吹き付けられた雨水は、室内への侵入が拒まれ、それぞれの召し合わせ框に沿って落下する。
【００２８】
次に、それぞれの召し合わせ框に沿って落下した雨水や召し合わせ框下部に吹き付けられた雨水に対しては、嵌め殺し部の縦骨室外面下部と外障子の召し合わせ框の室内面下部との間の隙間部分を気密にするブロック体により、室内への漏水を防止することができる。
【００２９】
また、前記縦タイト材及び前記ブロック体により形成されたタイトラインで気密と水密を確実にするだけではなく、このタイトラインよりも外部かつ近接した位置の下枠に設けた水抜き孔により、下枠中空部を介して雨水の外部への排出を促進することで、室内への漏水防止効果を高めている。
【００３０】
＜請求項５記載の発明＞
請求項５記載の発明は、前記レール部は、一対の立ち上がり片で室内側及び室外側側面を形成し、かつ着脱自在なレール部の上面構成部材を前記レール部の室内側及び室外側側面と嵌合することで形成される、請求項１乃至４のいずれかの１項に記載の外部開口用下枠フラットサッシである。
【００３１】
（作用効果）
レール部の上面を略フラットにした下枠フラットサッシでは、室内への雨水の侵入を防ぐために、一定以上の水密性、気密性を確保するとともに、防水効果を高めるために、下枠に水抜き孔を設けてタイトラインの外側で排水を促進させる必要がある。
【００３２】
しかし、水抜き孔にゴミ等が詰まり、外部に通じている中空部に排水不可能となってしまっては、タイトラインを超えて室内に雨水が侵入する虞が生じる。
【００３３】
そこで、レール部の上面を取外し可能な構造としてレール部の下部のメンテナンスを可能とし、このレール部の下部を清掃することにより、水抜き孔の詰まりを防止し、もって防水効果を確実なものとし、併せてゴミ等の蓄積による不衛生状態を防止することができる。
【００３４】
＜請求項６記載の発明＞
引き違いサッシを閉じた状態で内障子の召し合わせ框の底部に位置する、レール部の前記上面構成部材並びに前記レール部の室内側及び室外側側面で囲まれる範囲に、タイト材が埋設されている請求項５記載の外部開口用下枠フラットサッシである。
【００３５】
（作用効果）
引き違いサッシを閉じた状態で内障子の召し合わせ框の底部に位置する、レール部の前記上面構成部材並びに前記レール部の室内側及び室外側側面で囲まれる範囲に、タイト材が埋設されることにより、レール部下部に流れ込んだ雨水の室内への侵入が拒まれるため、防水効果を高めることができる。
【００３６】
＜請求項７記載の発明＞
前記室外側ガイド溝の上端部の隙間は、この室外側ガイド溝の底部の屋内外方向の幅よりも狭く形成され、前記障子の前記室外側垂下片の下端は、前記室外側ガイド溝の上端部よりも下方に位置するようにのみ込まれている構成とされた、請求項１記載の外部開口用下枠フラットサッシである。
【００３７】
（作用効果）
室外側ガイド溝の上端部の隙間は、この室外側ガイド溝の底部の屋内外方向の幅よりも狭く形成され、障子の前記室外側垂下片の下端は、前記室外側ガイド溝の上端部よりも下方に位置するようにのみ込まれている構成となっていることにより、障子の下框等の下部に吹き付ける雨水は、室外側ガイド溝の上端部や障子の前記室外側垂下片に衝突して侵入（運動）エネルギーを失うことによって、直接、室外側ガイド溝内に侵入することが拒まれる。その結果、ほとんどの雨水が侵入（運動）エネルギーを失い、多くが室外側垂下片に沿って雨水自体の自重により室外側ガイド溝に流下するため、流下した雨水が室外側ガイド溝の底面や室外側ガイド溝に溜まった雨水に衝突したとしても、飛沫は少なく、その飛沫が室内側に侵入する虞が少ない。したがって、障子の室外側垂下片によって、実質的に水切りが行われる。
【００３８】
＜請求項８記載の発明＞
前記室外側ガイド溝の上端部の隙間のうち、前記室外側立ち上がり片の上端部と前記室外側垂下片の室外側面との間は０．３〜６ｍｍであり、前記室外側垂下片ののみ込み長さとして、前記室外側立ち上がり片の上端と前記室外側垂下片の下端との距離は２〜３０ｍｍである構成とされた、請求項７記載の外部開口用下枠フラットサッシである。
【００３９】
（作用効果）
室外側ガイド溝の上端部の隙間のうち、前記室外側立ち上がり片の上端部と前記室外側垂下片の室外側面との間は０．３〜６ｍｍとし、前記室外側垂下片ののみ込み長さとして、前記室外側立ち上がり片の上端と前記室外側垂下片の下端との距離は２〜３０ｍｍとすれば、障子の下框等の下部に吹き付ける雨水は、室外側ガイド溝の上端部や障子の前記室外側垂下片に衝突して侵入（運動）エネルギーを失うことによって、直接、室外側ガイド溝内に侵入することが拒まれる。その結果、ほとんどの雨水が侵入（運動）エネルギーを失い、多くが室外側垂下片に沿って雨水自体の自重により室外側ガイド溝に流下するため、流下した雨水が室外側ガイド溝の底面や室外側ガイド溝に溜まった雨水に衝突したとしても、飛沫は少なく、その飛沫が室内側に侵入する虞が少ない。したがって、障子の室外側垂下片によって、実質的に水切りが行われる。
【００４０】
＜請求項９記載の発明＞
前記内障子用のレール部室外側側面と前記第２の立ち上がり片とで形成される内障子の前記室外側垂下片の室外側ガイド溝の上端部の隙間、及び前記外障子用のレール部室外側側面と前記第３の立ち上がり片とで形成される外障子の前記室外側垂下片の室外側ガイド溝の上端部の隙間は、それぞれ室外側ガイド溝の底部の屋内外方向の幅よりも狭く形成され、
内障子の前記室外側垂下片及び外障子の前記室外側垂下片のそれぞれの下端は、それぞれの室外側ガイド溝の上端部よりも下方に位置するようにのみ込まれている構成とされた、請求項２乃至６のいずれか1項記載の外部開口用下枠フラットサッシ。
【００４１】
（作用効果）
内外障子の下框等の下部に吹き付ける雨水は、室外側ガイド溝の上端部や内外障子の前記室外側垂下片に衝突して侵入（運動）エネルギーを失うことによって、直接、室外側ガイド溝内に侵入することが拒まれる。その結果、ほとんどの雨水が侵入（運動）エネルギーを失い、多くが室外側垂下片に沿って雨水自体の自重により室外側ガイド溝に流下するため、流下した雨水が室外側ガイド溝の底面や室外側ガイド溝に溜まった雨水に衝突したとしても、飛沫は少なく、その飛沫が室内側に侵入する虞が少ない。したがって、内外障子の室外側垂下片によって、実質的に水切りが行われる。
【００４２】
＜請求項１０記載の発明＞
内障子の前記室外側垂下片の室外側ガイド溝の上端部の隙間のうち、前記第２の立ち上がり片の上端部と前記室外側垂下片の室外側面との間は０．３〜６ｍｍであり、内障子の前記室外側垂下片ののみ込み長さとして、前記第２の立ち上がり片の上端と前記室外側垂下片の下端と距離は２〜３０ｍｍである構成とされた、請求項９記載の外部開口用下枠フラットサッシである。
【００４３】
（作用効果）
内障子の前記室外側垂下片の室外側ガイド溝の上端部の隙間のうち、前記第２の立ち上がり片の上端部と前記室外側垂下片の室外側面との間は０．３〜６ｍｍとし、内障子の前記室外側垂下片ののみ込み長さとして、前記第２の立ち上がり片の上端と前記室外側垂下片の下端と距離は２〜３０ｍｍとすれば、内障子の下框等の下部に吹き付ける雨水は、室外側ガイド溝の上端部や内障子の前記室外側垂下片に衝突して侵入（運動）エネルギーを失うことによって、直接、室外側ガイド溝内に侵入することが拒まれる。その結果、ほとんどの雨水が侵入（運動）エネルギーを失い、多くが室外側垂下片に沿って雨水自体の自重により室外側ガイド溝に流下するため、流下した雨水が室外側ガイド溝の底面や室外側ガイド溝に溜まった雨水に衝突したとしても、飛沫は少なく、その飛沫が室内側に侵入する虞が少ない。したがって、内障子の室外側垂下片によって、実質的に水切りが行われる。
【００４４】
＜請求項１１記載の発明＞
内障子の戸当り框が当接する縦枠には、縦方向に条状に突出するように突出片が配設され、該突出片は、その下端が前記第２の立ち上がり片の上端に当接すると共に、前記内障子の戸当り框の室外面よりも室外側に位置して、内障子を閉じた状態で前記内障子の戸当り框の室外面の縦枠側端部を覆うように構成された、請求項９又は１０記載の外部開口用下枠フラットサッシである。
【００４５】
（作用効果）
内障子の戸当り框が当接する縦枠には、縦方向に条状に突出するように突出片が配設され、該突出片は、その下端が前記第２の立ち上がり片の上端に当接すると共に、前記内障子の戸当り框の室外面よりも室外側に位置して、内障子を閉じた状態で前記内障子の戸当り框の室外面の縦枠側端部を覆うように構成されているので、内障子の戸当り框とサッシ縦枠との間にバール等が差し込まれる隙間をなくしており、防犯性に優れている。
【００４６】
＜請求項１２記載の発明＞
前記突出片の前記縦枠の内周面からの突出長さは３〜３０ｍｍであり、該突出片と前記内障子の戸当り框の室外面との隙間は１〜１０ｍｍである構成とされた、請求項１１記載の外部開口用下枠フラットサッシである。
【００４７】
（作用効果）
前記突出片の前記縦枠の内周面からの突出長さは３〜３０ｍｍであり、該突出片と前記内障子の戸当り框の室外面との隙間は１〜１０ｍｍである構成となっていることにより、内障子を閉じた状態で前記内障子の戸当り框の室外面の縦枠側端部を覆うように構成されているので、内障子の戸当り框とサッシ縦枠との間にバール等が差し込まれる隙間をなくしており、防犯性に優れている。
【００４８】
＜請求項１３記載の発明＞
内障子の戸当り框が当接する縦枠には、該縦枠を室外側から室内側を見て、突出片、縦枠レール片及び縦タイト材を嵌合可能なリップ溝片がそれぞれ縦方向に条状に突出するように配設され、突出片は、その下端が前記第２の立ち上がり片の上端に当接すると共に、前記内障子の戸当り框の室外面よりも室外側に位置して、内障子を閉じた状態で前記内障子の戸当り框の室外面の縦枠側端部を覆い、縦枠レール片は、内障子を閉じた状態で前記内障子の戸当り框の縦枠側側面方向にのみ込まれる構成をとり、リップ溝片は、前記内障子の戸当り框の室内面よりも室内側に位置して、内障子を閉じた状態で前記内障子の戸当り框の室内面の縦枠側端部を覆う構成とされた、請求項９又は１０項記載の外部開口用下枠フラットサッシ。
【００４９】
（作用効果）
内障子の戸当り框が当接する縦枠には、該縦枠を室外側から室内側を見て、突出片、縦枠レール片及び縦タイト材を嵌合可能なリップ溝片がそれぞれ縦方向に条状に突出するように配設され、突出片は、その下端が前記第２の立ち上がり片の上端に当接すると共に、前記内障子の戸当り框の室外面よりも室外側に位置して、内障子を閉じた状態で前記内障子の戸当り框の室外面の縦枠側端部を覆い、縦枠レール片は、内障子を閉じた状態で前記内障子の戸当り框の縦枠側側面内にのみ込まれる構成をとり、リップ溝片は、前記内障子の戸当り框の室内面よりも室内側に位置して、内障子を閉じた状態で前記内障子の戸当り框の室内面の縦枠側端部を覆う構成とすることにより、突出片、縦枠レール片及びリップ溝片と内障子の戸当り框とで、内障子の戸当り框と縦枠との間に吹き付ける雨水等の室内への侵入を防止するじゃま板及び迷路を形成し、止水性を高めている。
【００５０】
＜請求項１４記載の発明＞
前記突出片の前記縦枠の内周面からの突出長さは３〜３０ｍｍであり、前記縦枠レール片の前記縦枠の内周面からの突出長さは３〜３０ｍｍであり、前記リップ溝片の前記縦枠の内周面からの突出長さは３〜３０ｍｍである構成とされた、請求項１３記載の外部開口用下枠フラットサッシである。
【００５１】
（作用効果）
前記突出片の前記縦枠の内周面からの突出長さは３〜３０ｍｍであり、前記縦枠レール片の前記縦枠の内周面からの突出長さは３〜３０ｍｍであり、前記リップ溝片の前記縦枠の内周面からの突出長さは３〜３０ｍｍである構成とすることにより、内障子の戸当り框と縦枠との間に吹き付ける雨水等の室内への侵入を防止するじゃま板及び迷路を形成し、止水性を高めている。
【発明の効果】
【００５２】
本発明に係る外部開口用下枠フラットサッシによれば、高水密性や高気密性、また優れたメンテナンス性や防犯性等を実現することができる。
【発明を実施するための最良の形態】
【００５３】
以下、本発明の実施の形態を説明する。
本発明に係るサッシの一実施例である縦及び横断面図を、引き違いサッシについて図１、２に、片引きサッシについて図３、４に示す。図１〜４に示すように、当該サッシは、下枠１０、上枠７０、左縦枠７１及び右縦枠７２で枠体を形成し、この枠体に、引き違いサッシの場合には内障子３０及び外障子４０が装着され、又は片引きサッシ若しくは引き分けサッシの場合には、嵌め殺し部６０の縦骨６１及び外障子４０が装着され、当該サッシが構成される。なお、片引きサッシには、両袖片引きサッシも当然のことながら含まれる。
【００５４】
下枠１０の上面全体は略フラットに形成され、図６に示すように、室内の床面から下枠１０の上面、グレーチング７３、バルコニー７４に設けられたウッドデッキ７５等を略フラットに形成することができる。
【００５５】
以下に、内障子３０及び外障子４０からなる引き違いサッシを例にして、本発明に係るサッシの構造を詳述することにする。
＜障子構造＞
図１，２に示すように、外障子４０は、外障子下框４１及び図示しない上框と、並びに外障子縦框４３及び召し合わせ框４４とで障子を形成し、框で四周を囲まれた内部にガラス等が装着される。また、外障子下框の底部４５には、戸車４６が設けられており、この戸車４６が下枠レール部の上面１２ａを回動することにより、外障子４０が左右に移動する。
【００５６】
さらに、外障子下框４１には、室内側と室外側にそれぞれ垂下片４７，４８が延在している。上記障子の構造は、内障子３０においても、後述するブロック体５０を除いては略同様である。
【００５７】
本発明に係る内障子下框３６と外障子下框４１には、室内側垂下片３２、４７に加えて室外側垂下片３３、４８が設けられているので、図１７ｂの点線で囲む範囲に示すように、室外側垂下片３３、４８によって、室外側の障子面や窓ガラスに沿って落下した雨水の室内への侵入が拒まれる。すなわち、室外側垂下片３３、４８は実質的な水切りとして機能している。
【００５８】
したがって、室外側垂下片３３、４８で水切りが行われることにより、雨水の大半は下枠室外側ガイド溝１７，１９に流れ落ち、中空部２１を介して外部に排出されるので、横タイト材７６によるタイトラインよりも上に位置するレール部の上面１１ａ、１２ａに雨水が浸入しにくくなっており、かつ室内側垂下片３２、４７と後述する横タイト材７６とで水密性や気密性を確実に確保することができる。
【００５９】
また、室外側垂下片３３、４８を設けたことにより、図１８ｂの点線で囲った範囲に示すように、レール部の上面１１ａ、１２ａに埃や塵が溜まりにくく、そのため戸車３１，４６移動等による傷もつきにくくメンテナンス性にも優れており、また、図１９ｂに示すように外部からバール７等を差し込まれるような隙間がなく、さらに、図２に示すように、サッシ右縦枠７２には、突出片７２ａを設けて内障子縦框（戸当り框）３５とサッシ右縦枠７２との間にバール等が差し込まれる隙間をなくしており、同様に、外障子縦框４３とサッシ左縦枠７１との隙間もなくしているので防犯性にも優れている。
【００６０】
内障子縦框（戸当り框）３５とサッシ右縦枠７２との隙間の処理について、図２０に基づき詳しく説明すると、まず、内障子縦框（戸当り框）３５が当接するサッシ右縦枠７２の内周面７２Ａには、前述のように、縦方向に条状に突出するように突出片７２ａが配設され、この突出片７２ａは、その下端が第２の立ち上がり片１４の上端である上面１４ａに当接すると共に、内障子縦框（戸当り框）３５の室外面３５Ａよりも室外側に位置して、内障子３０を閉じた状態で内障子縦框（戸当り框）３５の室外面３５Ａの縦枠側端部を覆うように構成されている。そして、突出片７２ａのサッシ右縦枠７２の内周面７２Ａからの突出長さ（図２０に示すａの長さ）は３〜３０ｍｍであり、この突出片７２ａと内障子縦框（戸当り框）３５の室外面３５Ａとの隙間（図２０に示すｂの長さ）は１〜１０ｍｍである。この構成及び長さ関係によって、内障子縦框（戸当り框）３５とサッシ右縦枠７２との間にバール等が差し込まれる隙間をなくしており、防犯性を確保している。なお、突出長さ（図２０に示すａの長さ）は防犯上及び後述する止水性等の観点から５〜２０ｍｍが好ましい。また、突出片７２ａと内障子縦框（戸当り框）３５の室外面３５Ａとの隙間（図２０に示すｂの長さ）は、同様に、防犯上及び後述する止水性の観点から１〜５ｍｍが好ましく、より好適には、サッシ開閉のしやすさ等の観点より２〜５ｍｍである。
【００６１】
また、サッシ右縦枠７２の内周面７２Ａには、このサッシ右縦枠７２を室外側から室内側を見て、前述した突出片７２ａ、縦枠レール片７２ｂ及び縦タイト材８１を嵌合可能なリップ溝片７２ｃがそれぞれ縦方向に条状に突出するように配設されている。縦枠レール片７２ｂは、内障子３０を閉じた状態で、内障子縦框（戸当り框）３５の縦枠側側面３５Ｂ方向にのみ込まれる構成をとり、リップ溝片７２ｃは、内障子縦框（戸当り框）３５の室内面３５Ｃよりも室内側に位置して、内障子３０を閉じた状態で、内障子縦框（戸当り框）３５の室内面３５Ｃの縦枠側端部を覆う構成とされている。そして、縦枠レール片７２ｂのサッシ右縦枠７２の内周面７２Ａからの突出長さ（図２０に示すｃの長さ）は３〜３０ｍｍであり、リップ溝片７２ｃのサッシ右縦枠７２の内周面７２Ａからの突出長さ（図２０に示すｄの長さ）は３〜３０ｍｍである構成とされ、突出片７２ａのサッシ右縦枠７２の内周面７２Ａからの突出長さ（図２０に示すａの長さ）は、前述のように、３〜３０ｍｍである。この構成及び長さ関係によって、内障子縦框（戸当り框）３５とサッシ右縦枠７２との間に吹き付ける雨水等の室内への侵入を防止するじゃま板及び迷路を形成し、止水性を高めている。
【００６２】
ここで、図２０に示すように、内障子縦框（戸当り框）３５の縦枠側側面３５Ｂに戸当り框タイト材３５ａを取付け、この戸当り框タイト材３５ａと縦枠レール片７２ｂとを当接させる構成とすれば、水密性は向上する。
【００６３】
なお、縦枠レール片７２ｂ及びリップ溝片７２ｃの突出長さ（図２０に示すｃ，ｄの長さ）は止水性等の観点から５〜２０ｍｍが好ましい。なお、突出片７２ａについては、前述したので省略する。
【００６４】
＜下枠構造＞
図５ａに示すように、下枠１０には、サッシ下枠を室内側から室外側を見て、第１の立ち上がり片１３、内障子３０に設けられた戸車３１が回動する内障子用のレール部１１、第２の立ち上がり片１４、及び外障子４０に設けられた戸車４６が回動する外障子用のレール部１２及び第３の立ち上がり片１５が形成されている。
【００６５】
図５ａに示すように、内障子用のレール部室内側側面１１ｂと第１の立ち上がり片１３とで内障子の室内側垂下片３２の室内側ガイド溝１６を、及び内障子用のレール部室外側側面１１ｃと第２の立ち上がり片１４とで内障子の室外側垂下片３３の室外側ガイド溝１７を形成している。なお、図５ａ中の斜線部分は、後述する水抜き孔、結露水孔、切欠きの部分を示しており、図５ｂには、水抜き孔２０ａ部分の部分断面を示している。
【００６６】
外障子用のレール部室内側側面１２ｂと第２の立ち上がり片１４とで外障子の室内側垂下片４７の室内側ガイド溝１８を、及び外障子用のレール部室外側側面１２ｃと第３の立ち上がり片１５とで外障子の室外側垂下片４８の室外側ガイド溝１９を形成している。
【００６７】
また、内障子の室内側垂下片３２と第１の立ち上がり片１３との間、及び外障子の室内側垂下片４７と第２の立ち上がり片１４との間を気密及び水密にするために、横タイト材７６が設けられており、この横タイト材７６とそれぞれの室内側垂下片３２，４７とが摺接及び密接することにより、下枠１０におけるタイトラインの一部が形成されている。
【００６８】
ここで、第２の立ち上がり片１４は、図５ａに示すように、排水溝としても機能するガイド溝１７とガイド溝１８とを区分けしている。この第２の立ち上がり片１４の上面１４ａは平面であり、かつ外障子用の横タイト材７６を取付けているので、実質的な外障子４０のタイトラインを形成している。好ましくは、横タイト材７６も上面１４ａと同一平面になるほうがよい。
【００６９】
さらに、内障子及び外障子用の下枠室外側ガイド溝１７，１９と外障子用の室内側ガイド溝１８には、排水溝としても機能するガイド溝に溜まった雨水を排出する水抜き孔２０ａ、２０ｃ、２０ｄ、２０ｅが形成されており、水抜き穴２０ａ、２０ｃ、２０ｄ、２０ｅに落ちた雨水は、下枠内に形成された中空部２１に流れ落ち、この中空部２１は、排水口２２を介して外部と連通しているため、最終的に雨水は、外部に排出されることになる。同様に、結露水孔２０ｆにより、結露水は、結露水排水弁２０ｇを通って排水口２２を介して外部に排出される。
【００７０】
ここで、図２１に基づき、内障子の室外側垂下片３３と室外側ガイド溝１７との関係、そして外障子の室外側垂下片４８と室外側ガイド溝１９との関係について詳しく説明する。
内障子用のレール部室外側側面１１ｃと第２の立ち上がり片１４とで形成される内障子の室外側垂下片３３の室外側ガイド溝１７の上端部の隙間、及び外障子用のレール部室外側側面１２ｃと第３の立ち上がり片１５とで形成される外障子の室外側垂下片４８の室外側ガイド溝１９の上端部の隙間（図２１に示すｆ及びｍの長さ）は、それぞれ室外側ガイド溝１７，１９の底部の屋内外方向の幅（図２１に示すｇ及びｎの長さ）よりも狭く形成され、内障子の室外側垂下片３３及び外障子の室外側垂下片４８のそれぞれの下端は、それぞれの室外側ガイド溝１７，１９の上端部（第２の立ち上がり片１４の上端部である上面１４ａ、第３の立ち上がり片１５の上端部）よりも下方に位置するようにのみ込まれている構成とされている。
【００７１】
そして、内障子の室外側垂下片３３の室外側ガイド溝１７の上端部の隙間（図２１に示すｆの長さ）のうち、第２の立ち上がり片１４の上端部と室外側垂下片３３の室外側面との間（図２１に示すｈの長さ）は０．３〜６ｍｍであり、内障子の室外側垂下片３３ののみ込み長さ（図２１に示すｉの長さ）として、第２の立ち上がり片１４の上端と室外側垂下片３３の下端と距離は２〜３０ｍｍである。外障子の室外側垂下片４８の室外側ガイド溝１９の上端部の隙間（図２１に示すｍの長さ）のうち、第３の立ち上がり片１５の上端部と室外側垂下片４８の室外側面との間（図２１に示すｐの長さ）は０．３〜６ｍｍであり、外障子の室外側垂下片４８ののみ込み長さ（図２１に示すｑの長さ）として、第３の立ち上がり片１５の上端と室外側垂下片４８の下端と距離は２〜３０ｍｍである。
【００７２】
これらの構成及び長さによって、内外障子３０，４０の下框等の下部に吹き付ける雨水は、室外側ガイド溝１７，１９の上端部（第２の立ち上がり片１４の上端部である上面１４ａ、第３の立ち上がり片１５の上端部）や内外障子３０，４０の室外側垂下片３３，４８に衝突して侵入（運動）エネルギーを失うことによって、直接、室外側ガイド溝１７，１９内に侵入することが拒まれる。その結果、ほとんどの雨水が侵入（運動）エネルギーを失い、多くが室外側垂下片３３，４８に沿って雨水自体の自重により室外側ガイド溝１７，１９に流下するため、流下した雨水が室外側ガイド溝１７，１９の底面や室外側ガイド溝１７，１９に溜まった雨水に衝突したとしても、飛沫は少なく、その飛沫が室内側に侵入する虞が少ない。したがって、内外障子３０，４０の室外側垂下片によって、実質的に水切りが行われる。
【００７３】
ここで、第２の立ち上がり片１４の上端部と内障子の室外側垂下片３３の室外側面との間（図２１に示すｈの長さ）及び第３の立ち上がり片１５の上端部と外障子の室外側垂下片４８の室外側面との間（図２１に示すｐの長さ）は、侵入（運動）エネルギーを失い室外側垂下片３３，４８に沿って雨水自体の自重により流下するものを効率よく室外側ガイド溝１７，１９に導く観点から、０．５〜４ｍｍが好ましく、より好適には０．５〜３ｍｍである。また、のみ込み長さ（図２１に示すｉ及びｑの長さ）は、同様の理由で２〜７ｍｍが好ましく、サッシ開閉のしやすさ等の観点から、３〜７ｍｍがより好適である。
【００７４】
また、万が一、流下した雨水が室外側ガイド溝１７，１９の底面や室外側ガイド溝１７，１９に溜まった雨水に衝突した際の飛沫が生じた場合に、その飛沫が室内側に侵入しないようにするために、室外側垂下片３３，４８の室内側面とレール部室外側側面１１ｃ，１２ｃの上端部との間（図２１に示すｋ及びｒの長さ）は、１〜２ｍｍとすることが好ましい。
【００７５】
なお、レール部室外側側面１１ｃ，１２ｃの上端部は、図２１に示すように、その断面形状として、レール部室外側側面１１ｃ，１２ｃから室外側垂下片３３，４８の室内側面に向かって水平方向に突出する形状とすることにより、図２１に示すように、この突出部分の下部とレール部室外側側面１１ｃ，１２ｃ及び室外側垂下片３３，４８の室内側面に三方を囲まれ、下方に開かれた空間ができる。この空間の存在により、室外側垂下片３３，４８の室外側面に沿って自重により流下する雨水の室外側垂下片３３，４８の室内側面への廻り込みが防止され、室外側垂下片３３，４８の下端から雨水を落下させやすくなり、結果として室内側への雨水の侵入が阻まれる効果が発揮される。また、レール部室外側側面１１ｃ，１２ｃの上端部を突出する形状とすることにより、室外側垂下片３３，４８の室内側面との隙間を狭くすることができ、かつ飛沫の侵入をこの突出部分の下部で堰き止めることができる。よって、上記観点から、図２１に示すように、レール部室外側側面１１ｃ，１２ｃの上端部を突出形状とすることが望ましい。
【００７６】
すなわち、本発明に係るサッシ構造では、内障子下框３６及び外障子下框４１に、室外側垂下片３３、４８が設けられているので、室外側垂下片３３、４８が実質的な水切りとして機能するが、仮にレール部の上面１１ａ、１２ａに雨水が浸入した場合でも、室内側垂下片３３，４７と横タイト材７６により室内へ漏水をすることなく、雨水は下枠室内側ガイド溝１６，１８に落ち、中空部２１を介して外部に排出される。つまり、図１６に示すように、水切りライン８４とタイトライン８５を別々に設ける二重構造により、タイトライン８５の負担を軽減させ、水密性や気密性を高めているのである。
【００７７】
下枠１０の材質としては、アルミニウム合金等からなり、下枠自体は押出成形された部材によって形成されている。下枠１０の構成として、図５ａに示すように、下枠レール部の上面１１ａ、１２ｂを、下枠のベースを構成する下枠部材２３とは別部材とする場合、すなわちレール部の上面１１ａ、１２ａが取外し可能な下枠レール部の上面構成部材２４，２５を別に製造し、出来上がってからそれぞれを下枠部材２３の内障子用レール部立ち上がり片１１ｅ、１１ｆ、外障子用の立ち上がり片１２ｅ、１２ｆに嵌合することが考えられる。上面構成部材２４，２５を別部材とすると、図８に示すように、レール部の下部溝１１ｄ，１２ｄに水抜き孔２０ｂ、２０ｄ、結露水孔２０ｆを容易に設けることができるだけでなく、この水抜き孔２０ｂ、２０ｄ、結露水孔２０ｆに詰まったゴミなどを清掃し目詰まりによる室内への漏水を防ぐことができる。さらに、ゴミ等の蓄積による不衛生状態を防止することができる。
【００７８】
なお、図７ａ、７ｂに示すように、下枠部材２３ａ、２３ｂとして下枠を一体成形する場合、すなわち、中空部２１、レール部１１，１２並びに第１〜第３の立ち上がり片１２，１３，１４等を一体成型することも考えられる。ここで、例えば、図７ｂのような、レール部の下部溝１１ｄ、１２ｄに相当する空間が中空部２１と一体になっている下枠部材２３ｂでは、これらレール部の下部溝１１ｄ、１２ｄがないので、レール部の下部溝１１ｄ、１２ｄがある場合に必要な、清掃等のメンテナンスは不要である。
【００７９】
図８ａ、８ｂは、下枠レール部の上面構成部材２４，２５を取外した状態の平面図及び下枠断面図を示している。下枠１０には、水抜き孔２０ａ，２０ｂ、２０ｃ、２０ｄ、２０ｅが設けられており、これらの水抜き孔２０ａ，２０ｂ、２０ｃ、２０ｄ、２０ｅは、下枠内に形成された中空部２１と連通し、内障子及び外障子用の下枠室外側ガイド溝１７，１９と外障子用の室内側ガイド溝１８や内障子及び外障子用の下枠レール部の下部溝１１ｄ、１２ｄに溜まった雨水が、この中空部２１に流れ落ちるようになっている。同様に、結露水孔２０ｆにより、結露水も逆止弁つき結露水排水弁２０ｇを通って中空部２１に流れ落ちる。また、ガイド溝とレール部の下部溝との間を連通させるための切欠き２６も設けられている。
【００８０】
ここで、レール溝１１ｄ、１２ｄに設けられた水抜き孔２０ｂ、２０ｄについては、レール部の上面１１ａ、１２ａを乗り越えガイド溝１６、１８、に侵入した雨水があっても、外障子用レール部の室内側立ち上がり片１２ｅの切欠き２６及び内障子用レール部の室内側立ち上がり片１１ｅの切欠き２６により水抜き孔２０ｂ、２０ｄで排出され、また、風圧等で中空部２１からのしぶき（吹き上げ状態）があっても、レール部の上面でカバーされており、横タイト材７６へのしぶきはかかり難くしてある。
【００８１】
下枠の中空部２１には、外部と連通する排水口２２が設けられており、内障子及び外障子用の下枠室外側ガイド溝１７，１９と外障子用の室内側ガイド溝１８や内障子及び外障子用の下枠レール部の下部溝１１ｄ、１２ｄから水抜き孔２０ａ，２０ｂ、２０ｃ、２０ｄ、２０ｅを介して流れ落ちてきた雨水や結露水孔２０ｆから結露水排水弁２０ｇを通って落ちてきた結露水をこの排水口２２から、排出するようになっている。なお、この排水口２２には、外部からの風や、雨水、虫等の侵入を防ぐために、蓋２２ａが取り付けられており、逆止弁の機能を果たしている。
【００８２】
＜召し合わせ框部分の気密・水密構造＞
内障子の召し合わせ框の室外面３４ａと外障子の召し合わせ框の室内面４４ａとの間には、内外障子を閉じた状態で内障子の召し合わせ框３４と外障子の召し合わせ框４４とが噛み合い、外部からの風圧に耐えうるように、煙返し３４ｂ、４４ｂが設けられている。このうち、内障子の召し合わせ框の室外面３４ａに設けられた煙返し３４ｂには、内外障子が閉じた状態で、内障子の召し合わせ框の室外面３４ａと外障子の召し合わせ框の室内面４４ａとの間を気密にするための縦タイト材７８が設けられている。この縦タイト材７８は、内障子の召し合わせ框の室外面３４ａと外障子の召し合わせ框の室内面４４ａとの間を密接して気密性や水密性を確保し、内障子の召し合わせ框３４及び外障子の召し合わせ框４４に吹き付けられた雨水の室内への侵入を防ぐ。そして、縦タイト材７８はその下端で、図９に示すように、後述する召し合わせ框下部気密ブロック５１の側面で密接しており、縦タイトラインを形成している。なお、この縦タイト材７８を外障子の召し合わせ框の室内面４４ａに設けてもよい。
【００８３】
内障子の召し合わせ框の室外面３４ａ下部及び当該框底部３４ｃには、気密ブロック体５０が設けられている。この気密ブロック体５０は、内障子の召し合わせ框の室外面３４ａ下部と外障子の召し合わせ框の室内面４４ａ下部との間を気密・水密状態にするとともに、内障子の召し合わせ框底部３４ｃと第２の立ち上がり片１４の上面１４ａ及び内障子用の下枠レール部上面１１ａとの間を気密・水密状態にする。ここで、第２の立ち上がり片１４には横タイト材７６が取付けられており、かつ第２の立ち上がり片１４の上面１４ａと横タイト材７６とが略同一平面を形成しているので、水密性・気密性は確実なものとなっている。
【００８４】
図９，１０に示すように、気密ブロック体５０は、召し合わせ框下部気密ブロック５１、召し合わせ框底部気密ブロック５２及び底部気密ブロック用ヒレ５３から構成されている。
【００８５】
召し合わせ框下部気密ブロック５１は、ビス等により内障子の召し合わせ框の室外面３４ａ下部に高さ調整可能に取り付けられ、召し合わせ框底部気密ブロック５２と密接している。このうち、図１１で示す、ヒレの部分５１ａはＡＢＳを含む軟質塩ビ等の弾性体からなっている。この召し合わせ框下部気密ブロック５１の複数のヒレ５１ａにより、複数の気密・水密空間を形成し、内障子の召し合わせ框の室外面３４ａ下部と外障子の召し合わせ框の室内面４４ａ下部との間の高気密・高水密状態を確保し、召し合わせ框に沿って落下した雨水や召し合わせ框下部に吹き付けられた雨水の室内への侵入を防止することができる。
【００８６】
召し合わせ框底部気密ブロック５２は、内障子の召し合わせ框底部３４ｃに嵌合されている。図１２で示すように、この召し合わせ框底部気密ブロック５２には、室内側垂下片５２ａ及び室外側垂下片５２ｂが一体成形されていて、内障子の召し合わせ框底部３４ｃで切欠かれた内障子下框の室内側垂下片３２及び室外側垂下片３３を、実質的に延在させたかたちになっている。なお、召し合わせ框底部気密ブロックの室内側垂下片５２ａ及び室外側垂下片５２ｂは、必ずしも設ける必要がなく、その場合は内障子の下框の室内側垂下片３２及び室外側垂下片３３を延在させればよい。
【００８７】
召し合わせ框底部気密ブロック５２の底には、底部気密ブロック用ヒレ５３が、嵌合又は接着等されている。図１２で示す、底５２ｃが嵌合又は接着等される箇所である。図１３に示す、この底部気密ブロック用ヒレ５３は、ＡＢＳを含む軟質塩ビ等の弾性体からなり、内障子用のレール部上面１１ａと密接することにより、内障子の召し合わせ框底部３４ｃと内障子用のレール部上面１１ａとの間が気密・水密状態にされるので、下枠レール部上面１１ａからの雨水の侵入を防止することができる。なお、図１４に示すように、ヒレ５４ａを別部材とせずに、召し合わせ框底部気密ブロック５４と一体成形してもよい。
【００８８】
なお、これら召し合わせ框底部気密ブロック５１、召し合わせ框底部気密ブロック５２、５４及び底部気密ブロック用ヒレ５３等を、外障子の召し合わせ框の室内面４４ａ下部及び当該框底部４４ｃに設けてもよい。
【００８９】
図１５に示すように、召し合わせ框下部気密ブロック５１、召し合わせ框底部気密ブロック５２及び底部気密ブロック用ヒレ５３からなる気密ブロック体５０に加え、防水効果をさらに高めるため、召し合わせ框下部気密補助ブロック５５を、内障子の召し合わせ框のサッシ長手方向面３４ｄ下部にビス等で取り付けてもよい。召し合わせ框下部気密補助ブロック５５のうち、板状部材５５ａは、ＡＢＳを含む軟質塩ビ等の弾性体からなり、この板状部材５５ａは、外障子の召し合わせ框の室内面４４ａ下部の端部、下枠第２の立ち上がり片１４の上面１４ａ、内障子用の下枠室外側ガイド溝１６、及び内障子用レール部上面１１ａに密接し、雨水の室内への侵入があった場合にガイド溝１７，１８に排出を促して止水するので、防水効果をさらに高めることができる。
【００９０】
また、図８に示すように、引き違いサッシを閉じた状態で内障子の召し合わせ框の底部３４ｃに位置する、内障子用の下枠レール部の室内側及び室外側のガイド溝１６，１７には、溝付きタイトブロック７９が埋設されている。この溝付きタイトブロック７９は、ガイド溝１６、１７に流れ込んだ雨水の室内への流出を塞き止め、水抜き孔２０ａに雨水を排出させる
【００９１】
さらに、内障子用の下枠レール部の上面１１ａを，下枠のベースを構成する下枠部材２３ｂとは別部材とする場合、すなわち内障子用の下枠レール部の上面１１ａが取外し可能な上面構成部材２４を別部材とする場合には、引き違いサッシを閉じた状態で内障子の召し合わせ框の底部３４ｃに位置する、レール部の上面構成部材２４並びに前記レール部の立ち上がり片１１ｅ，１１ｆで囲まれる範囲（内障子用の下枠レール部の下部溝１１ｄ）に、溝付きタイトブロック８０が埋設されている。この溝付きタイトブロック８０により、上記と同様に、レール部の下部溝１１ｄに流れ込んだ雨水の室内への流出を塞き止め、水抜き孔２０ａ、２０ｄに雨水を排出させる。
【００９２】
図８に示すように、水抜き孔２０ａは、召し合わせ框タイトライン８５ｃよりも外部かつ近接した位置に設けられており、レール部下部溝１１ｄ、ガイド溝１７、１８の底部及び内障子用レール部室外側立ち上がり片１１ｆ、第２の立ち上がり片１４を切欠いて開孔している。
【００９３】
ここで、第２の立ち上がり片１４のが召し合わせ框タイトライン８５ｃの外で切欠かれ、上面１４ａの連続性が遮断されているのは、上面１４ａに落ちた雨水がそのまま第２の立ち上がり片１４の上面１４ａを伝わって室内側に侵入するのを遮断するとともに、召し合わせ框タイトライン８５ｃの外部での排水を良好にし、召し合わせ框タイトライン８５ｃの負担を軽減するためである。
【００９４】
＜水切りライン及びタイトライン＞
本発明に係るサッシ構造では、内障子３０及び外障子４０に室外側垂下片３３，４８を設け下枠レール部の上面１１ａ，１２ａへの雨水の侵入を少なくしたことにより、下枠全体として水密性や気密性を高めている。すなわち、図１６ａで示すように、内障子３０及び外障子４０に室外側垂下片３３，４８による水切りライン８４と、上記に述べた、内障子及び外障子の室内側垂下片３２，４７と横タイト材７６との密接、内障子召し合わせ框３４部分の縦タイト材７８、気密ブロック５０、溝付きタイトブロック７９，８０及び必要に応じて召し合わせ框下部気密補助ブロック５５を加えた、内障子室内側タイトライン８５ａ、外障子室内側タイトライン８５ｂ及び召し合わせ框タイトライン８５ｃより構成される下枠タイトライン８５とを別々に設ける二重構造により、タイトライン８５の負担を軽減させ防水性を高めている。
【００９５】
また、内障子３０及び外障子４０に室外側垂下片３３，４８を設けたことにより、引き違いサッシの内障子３０の召し合わせ框の室外側３４ａ下部や当該框の底部３４ｃにおける水密性や気密性の確保を容易にしている。すなわち、レール部の上面１１ａに位置する、召し合わせ框の底部３４ｃの水密性や気密性は高くなっている。
【００９６】
さらに、内障子３０及び外障子４０に室外側垂下片３３，４８を設けたことにより、召し合わせ框の室外側３４ａ下部の気密ブロック５０、溝付きタイトブロック７９，８０及び水抜き孔２０ａによる雨仕舞を、その構造を複雑にせずに確実に行うことができるようにしている。
【００９７】
他方、当然のことながら、本発明に係るサッシは、図２で示すように、左右のサッシ縦枠７１、７２には、縦タイト材８１を設けており、引き違いサッシを閉じた状態で、外障子の縦框４３の室内面及び内障子の縦框３５の室内面とそれぞれの縦タイト材８１とを密接させ、サッシ高さ方向のタイトラインも形成しており、下枠のタイトライン８５と実質的に一体化して室内への漏水を防いでいる。
【００９８】
本発明の別の実施形態としては、片引きサッシ又は引き分けサッシ等の開閉式外部開口部への適用が考えられる。これらのサッシと引き違いサッシとの大きな違いは、内障子３０の代わりに嵌め殺し部６０の縦骨６１が設けられることである。したがって、サッシ構造の違いとしては、図４で示すように、引き違いサッシの場合に必要であった内障子用のレール部１１がなくなり、この部分の防水対策が不要になる。なお、片引きサッシには、両袖片引きサッシも当然のことながら含まれる。
【図面の簡単な説明】
【００９９】
【図１】本発明に係る、引き違いサッシの場合の、サッシ下枠構造の縦断面図を示す。
【図２】本発明に係る、引き違いサッシの場合の、サッシ構造の横断面図を示す。
【図３】本発明に係る、片引きサッシの場合の、サッシ構造の縦断面図を示す。
【図４】本発明に係る、片引きサッシの場合の、サッシ構造の横断面図を示す。
【図５】本発明に係る、引き違いサッシの場合の、サッシ下枠構造の縦断面の部分拡大図を示す。
【図６】本発明に係る、引き違いサッシを採用したマンション等の、室内から屋外バルコニーまでの縦断面図を示す。
【図７】本発明に係る、引き違いサッシの場合の、他の実施例のサッシ下枠構造の縦断面の部分拡大図を示す。
【図８】本発明に係る、引き違いサッシの場合の、サッシ下枠構造の水抜き孔、水切り、タイト材の平面配置図及び下枠断面図を示す。
【図９】気密ブロック体を内障子の召し合わせ框に取り付け、下から見上げた状態を示す。
【図１０】気密ブロック体を内障子の召し合わせ框に取り付け、室外側から見た状態を示す。
【図１１】召し合わせ框下部気密ブロックの斜視図、正面図、側面図を示す。
【図１２】召し合わせ框底部気密ブロックの正面図、側面断面図、底面図を示す。
【図１３】底部気密ブロック用ヒレの正面図、正面断面図、底面図を示す。
【図１４】召し合わせ框底部気密ブロックの他の実施例の正面図、斜視図を示す。
【図１５】召し合わせ框下部気密補助ブロックの斜視図、正面図を示す。
【図１６】下枠の水切りライン、タイトライン及び下枠断面図を示す。
【図１７】従来例であるサッシ下枠構造（ｂ）と本発明に係るサッシ下枠構造（ａ）の防水性を比較する図面を示す。
【図１８】従来例であるサッシ下枠構造（ｂ）と本発明に係るサッシ下枠構造（ａ）のメンテナンス性を比較する図面を示す。
【図１９】従来例であるサッシ下枠構造（ｂ）と本発明に係るサッシ下枠構造（ａ）の防犯性を比較する図面を示す。
【図２０】内障子縦框（戸当り框）とサッシ縦枠との隙間処理を説明するためのサッシ横断面図である。
【図２１】内外障子の室外側垂下片と室外側ガイド溝との関係を説明するためのサッシ下枠構造の縦断面図である。
【符号の説明】
【０１００】
１…従来の内障子、１ａ…従来の内障子下框、１ｃ…従来の内障子下框の垂下片、２…従来例の外障子、２ａ…従来例の外障子下框、２ｃ…従来の内障子下框の垂下片、３…窓ガラス、４…従来例の内障子用の下枠レール部上面、５…従来例の外障子用の下枠レール部上面、６…戸車、７…バール、１０…下枠、１１…内障子用の下枠レール部、１１ａ…内障子用の下枠レール部上面、１１ｂ…内障子用の下枠レール部室内側側面、１１ｃ…内障子用の下枠レール部室外側側面、１１ｄ…内障子用の下枠レール部の下部溝、１１ｅ…内障子用の下枠レール部室内側立ち上がり片、１１ｆ…内障子用の下枠レール部室外側立ち上がり片、１２…外障子用の下枠レール部、１２ａ…外障子用の下枠レール部上面、１２ｂ…外障子用の下枠レール部室内側側面、１２ｃ…外障子用の下枠レール部室外側側面、１２ｄ…外障子用の下枠レール部の下部溝、１２ｅ…外障子用の下枠レール部室内側立ち上がり片、１２ｆ…外障子用の下枠レール部室外側立ち上がり片、１３…第１の立ち上がり片、１４…第２の立ち上がり片、１４ａ…第２の立ち上がり片の上面１５…第３の立ち上がり片、１６…内障子用の下枠室内側ガイド溝、１７…内障子用の下枠室外側ガイド溝、１８…外障子用の下枠室内側ガイド溝、１９…外障子用の下枠室外側ガイド溝、２０ａ、２０ｂ、２０ｃ、２０ｄ、２０ｅ…水抜き孔、２０ｆ…結露水孔、２０ｇ…結露水排水弁、２１…下枠中空部、２２…排水口、２２ａ…排水口蓋、２３、２３ａ、２３ｂ…下枠部材、２４…内障子用の下枠レール部上面構成部材、２５…外障子用の下枠レール部上面構成部材、２６…切欠き、３０…内障子、３１…内障子戸車、３２…内障子室内側垂下片、３３…内障子室外側垂下片、３４…内障子召し合わせ框、３４ａ…内障子召し合わせ框室外面、３４ｂ…内障子煙返し、３４ｃ…内障子召し合わせ框底部、３４ｄ…内障子召し合わせ框のサッシ長手方向面下部、３５…内障子縦框（戸当り框）、３５Ａ…内障子縦框（戸当り框）の室外面、３５Ｂ…内障子縦框（戸当り框）の縦枠側側面、３５Ｃ…内障子縦框（戸当り框）の室内面、３５ａ…戸当り框タイト材、３６…内障子下框、４０…外障子、４１…外障子下框、４３…外障子縦框、４４…外障子召し合わせ框、４４ａ…外障子召し合わせ框室外面、４４ｂ…外障子煙返し、４４ｃ…外障子召し合わせ框底部、４５…外障子下框底部、４６…外障子戸車、５０…気密ブロック体、５１…召し合わせ框下部気密ブロック、５１ａ…ヒレ部、５２…召し合わせ框底部気密ブロック、５２ａ…室内側垂下片部、５２ｂ…室外側垂下片部、５２ｃ…底部、５３…底部気密ブロック用ヒレ、５３ａ…ヒレ部、５４…召し合わせ框底部気密ブロック（ヒレ付き）、５４ａ…ヒレ部、５５…召し合わせ框下部補助ブロック、５５ａ…板状部材、６０…嵌め殺し部、６１…縦骨、７０…サッシ上枠、７１…サッシ左縦枠、７２…サッシ右縦枠、７２Ａ…サッシ右縦枠の内周面、７２ａ…突出片、７２ｂ…縦枠レール片、７２ｃ…リップ溝片、７３…グレーチング、７４…バルコニー、７６…横タイト材、７８，８１…縦タイト材、７９、８０…埋設タイト材、８２…網戸、８３…グレーチング、８４…水切りライン、８５…タイトライン、８５ａ…内障子室内側タイトライン、８５ｂ…外障子室内側タイトライン、８５ｃ…召し合わせ框タイトライン。
【図１】
2004270441.tif 000003
【図２】
2004270441.tif 000004
【図３】
2004270441.tif 000005
【図４】
2004270441.tif 000006
【図５】
2004270441.tif 000007
【図６】
2004270441.tif 000008
【図７】
2004270441.tif 000009
【図８】
2004270441.tif 000010
【図９】
2004270441.tif 000011
【図１０】
2004270441.tif 000012
【図１１】
2004270441.tif 000013
【図１２】
2004270441.tif 000014
【図１３】
2004270441.tif 000015
【図１４】
2004270441.tif 000016
【図１５】
2004270441.tif 000017
【図１６】
2004270441.tif 000018
【図１７】
2004270441.tif 000019
【図１８】
2004270441.tif 000020
【図１９】
2004270441.tif 000021
【図２０】
2004270441.tif 000022
【図２１】
2004270441.tif 000023